(57)【要約】【課題】発火源となりうる部材を使用せずに単純な機械的構造を用いて、有水式ガスホルダ内のガス圧を一定に保つことができる有水式ガスホルダの圧力調整装置を提供する。【解決手段】底部１１に設けられた水槽１２内にガスの流出入に応じて昇降自在な少なくとも外槽１４及び内槽１６が設けられた有水式ガスホルダ１０において、有水式ガスホルダ１０内のガス圧を調整する圧力調整装置１００が提供される。この圧力調整装置１００は、外槽１４の質量に対応した水を貯留する水平姿勢と、貯留した水が注出される傾斜姿勢との間で傾動可能に内槽１６に連結された第１圧力調整用水槽１１０と、外槽１４の上昇に応じて、第１圧力調整用水槽１１０を水平姿勢から傾斜姿勢に傾動させる第１傾動手段１２０と、を備える。【選択図】図４
2008267416.tif 000002
【特許請求の範囲】
【請求項１】
底部に設けられた水槽内にガスの流出入に応じて昇降自在な少なくとも外槽及び内槽が設けられた有水式ガスホルダにおいて、前記有水式ガスホルダ内のガス圧を調整する圧力調整装置であって、
前記外槽の質量に対応した水を貯留する水平姿勢と、貯留した水が注出される傾斜姿勢との間で傾動可能に前記内槽に連結された第１圧力調整用水槽と、
前記外槽の上昇に応じて、前記第１圧力調整用水槽を前記水平姿勢から前記傾斜姿勢に傾動させる第１傾動手段と、
を備えることを特徴とする、有水式ガスホルダの圧力調整装置。
【請求項２】
前記第１圧力調整用水槽に給水する給水手段を更に備え、
前記第１傾動手段は、前記外槽の着底に応じて、前記第１圧力調整用水槽を前記傾斜姿勢から前記水平姿勢に傾動させ、前記給水手段により前記水平姿勢にある前記第１圧力調整用水槽に給水して前記外槽の質量に対応した水を貯留させることを特徴とする、請求項１に記載の有水式ガスホルダの圧力調整装置。
【請求項３】
前記第１傾斜手段は、前記第１圧力調整用水槽と前記外槽とを連結する第１ワイヤで構成され、
前記第１ワイヤは、前記内槽と前記外槽との相対高さが最大のときに緊張する長さを有することを特徴とする、請求項１又は２に記載の有水式ガスホルダの圧力調整装置。
【請求項４】
前記第１圧力調整用水槽は、前記貯留した水が前記傾斜姿勢で注出される注出口と、前記注出口に向けて傾斜した傾斜底面と、を有することを特徴とする、請求項１〜３のいずれかに記載の有水式ガスホルダの圧力調整装置。
【請求項５】
前記有水式ガスホルダには、前記ガスの流出入に応じて昇降自在な中槽が、前記外槽と前記内槽との間に更に設けられ、
前記中槽の質量に対応した水を貯留する水平姿勢と、貯留した水が注出される傾斜姿勢との間で傾動可能に前記内槽に連結された第２圧力調整用水槽と、
前記中槽の上昇に応じて、前記第２圧力調整用水槽を前記水平姿勢から前記傾斜姿勢に傾動させる第２傾動手段と、
を更に備えることを特徴とする、請求項１〜４のいずれかに記載の有水式ガスホルダの圧力調整装置。
【請求項６】
前記第２圧力調整用水槽に給水する給水手段を更に備え、
前記第２傾動手段は、前記中槽の着底に応じて、前記第２圧力調整用水槽を前記傾斜姿勢から前記水平姿勢に傾動させ、前記給水手段により前記水平姿勢にある前記第２圧力調整用水槽に給水して前記中槽の質量に対応した水を貯留させることを特徴とする、請求項５に記載の有水式ガスホルダの圧力調整装置。
【請求項７】
前記第２傾斜手段は、前記第２圧力調整用水槽と前記中槽とを連結する第２ワイヤで構成され、
前記第２ワイヤは、前記内槽と前記中槽との相対高さが最大のときに緊張する長さを有することを特徴とする、請求項５又は６に記載の有水式ガスホルダの圧力調整装置。
【請求項８】
前記第２圧力調整用水槽は、前記貯留した水が前記傾斜姿勢で注出される注出口と、前記注出口に向けて傾斜した傾斜底面と、を有することを特徴とする、請求項５〜７のいずれかに記載の有水式ガスホルダの圧力調整装置。
【請求項９】
底部に設けられた水槽内にガスの流出入に応じて昇降自在な外槽及び内槽が設けられた有水式ガスホルダにおいて、前記有水式ガスホルダ内のガス圧を調整する圧力調整方法であって、
水を貯留する水平姿勢と貯留した水が注出される傾斜姿勢との間で傾動可能な第１圧力調整用水槽を前記内槽に連結し、
前記外槽が着底しているときに、前記第１圧力調整用水槽を前記水平姿勢にして給水し、前記第１圧力調整用水槽に前記外槽の質量に対応する水を貯留させ、
前記外槽の上昇に応じて、前記第１圧力調整用水槽を前記水平姿勢から前記傾斜姿勢に傾動し、前記第１圧力調整用水槽から前記外槽の質量に対応する水を注出することを特徴とする、有水式ガスホルダの圧力調整方法。
【発明の詳細な説明】
【技術分野】
【０００１】
本発明は、有水式ガスホルダの圧力調整装置及び有水式ガスホルダの圧力調整方法に関する。
【背景技術】
【０００２】
例えば製鉄所においては、コークス炉、高炉、転炉等を用いて操業する場合、必ずコークス炉ガス（ＣＯＧ）、高炉ガス（ＢＦＧ）、転炉ガス（ＬＤＧ）等の副生ガスが生成される。これらのガスは、燃料ガスとして再利用可能である。よって、生成されたガスは、貯蔵タンク（以下、ガスホルダという。）内に一旦貯蔵され、必要に応じて取り出され、他のガスと混合されて適宜用途の燃料ガスとして利用される。このようなガスを貯蔵するガスホルダは、ガスの発生箇所と使用箇所とを結ぶ各ガスの配管系統上に配置される。このガスホルダは、乾式ガスホルダと、多槽式の有水式ガスホルダとの２種類に大別される。
【０００３】
有水式ガスホルダは、水を貯留した水槽の内部に複数のガス槽、例えば、外槽、中槽、内槽等を積み上げて、ガスの流出入に応じて各槽を上下に移動できる構造を有する。この有水式ガスホルダによれば、ガス貯蔵量が増加すると各ガス槽が上昇し、ガス貯蔵量が減少すると各ガス槽が下降するが、この際のガス槽内部のガス圧は、このガス槽の昇降動作に応じて変化する。即ち、有水式ガスホルダ内のガス貯蔵量が増加すると、まず内槽が上昇し、続いて、中槽、外槽が順次上昇するので、有水式ガスホルダ内部のガスには、水面よりも上方に位置したガス槽の総質量に対応した圧力が印加される。よって、ガス圧は、上昇しているガス槽の総質量によって変動し、ガスの貯蔵圧力は、ガス槽が上昇するごとに大きくなる。
【０００４】
一方、有水式ガスホルダは、ガスの配管系統に接続されているので、有水式ガスホルダの圧力変動は、ガスの配管系統内部にガスの圧力変動を及ぼす。このガスの圧力変動は、ガスの発生箇所と使用箇所とにも影響を及ぼしうるため、このガスの圧力変動を極力少なくすることが望まれる。
【０００５】
このガスの配管系等内部の圧力変動を防ぐために、内部のガス圧を一定に保つことが可能な乾式ガスホルダを使用することも考えられるが、乾式ガスホルダは、有水式ガスホルダに比べて高価であるため、有水式ガスホルダを使用し、その内部のガス圧を一定に保つための圧力調整装置が開発されている。
【０００６】
特許文献１には、この内部のガス圧を一定に保つ圧力調整装置が開示されている。特許文献１によれば、内槽の頂部に調整用水槽を配置し、この調整用水槽に、水を給排水することで、ガス圧を決定している水面より上方に位置したガス槽の総質量を制御して、有水式ガスホルダ内部のガス圧を調整する。また、特許文献１によれば、ガス配管系統にガスブロワ、圧力制御弁等を配置することによってもガス圧を調整する。
【０００７】
【特許文献１】実開平６−１４６９６号公報
【発明の開示】
【発明が解決しようとする課題】
【０００８】
ところで、上記特許文献１に記載のガスホルダは、圧力調整装置の設置に伴い、ガス配管系統に設けられる圧力制御弁と、調整用水槽への水の給排水のための給排水弁と、これら弁の制御機器と、ホルダ内のガス圧力を計測する計測装置とを備えている。このようにガスホルダに取り付けられている各種の制御機器、計測装置は、安全上の配慮から防爆仕様の機器で構成されるが、これらの防爆仕様の機器が万が一故障して漏電する場合を考慮すると、より安全性の高い圧力調整機構が希求されていた。また、上記特許文献１の圧力調整装置では、上記各種の制御装置や計測装置を使用するため、装置構成が複雑になるという問題があった。
【０００９】
そこで、本発明は、上記問題に鑑みてなされたものであり、本発明の目的とするところは、発火源となりうる部材を使用せずに単純な機械的構造を用いて、有水式ガスホルダ内のガス圧を一定に保つことが可能な、新規かつ改良された有水式ガスホルダの圧力調整装置及び有水式ガスホルダの圧力調整方法を提供することにある。
【課題を解決するための手段】
【００１０】
上記課題を解決するために、本発明のある観点によれば、底部に設けられた水槽内にガスの流出入に応じて昇降自在な少なくとも外槽及び内槽が設けられた有水式ガスホルダにおいて、有水式ガスホルダ内のガス圧を調整する圧力調整装置であって、外槽の質量に対応した水を貯留する水平姿勢と、貯留した水が注出される傾斜姿勢との間で傾動可能に内槽に連結された第１圧力調整用水槽と、外槽の上昇に応じて、第１圧力調整用水槽を水平姿勢から傾斜姿勢に傾動させる第１傾動手段と、を備えることを特徴とする、有水式ガスホルダの圧力調整装置が提供される。
【００１１】
かかる構成によれば、有水式ガスホルダにガスを供給すれば、まず内槽が上昇する。この際、水平姿勢にある第１圧力調整用水槽には、外槽の質量に対応した水が貯留されている。従って、水を有した第１圧力調整用水槽により、内部のガス圧を、第１圧力調整用水槽を含む内槽の質量と、外槽の質量に対応した水の質量との総質量に対応したガス圧にすることができる。更にガスを供給すると、外槽が上昇して内部のガスに外槽の質量が印加される。この際、この外槽の上昇に応じて第１傾動手段により、第１圧力調整用水槽を傾斜姿勢に傾動し、この傾斜姿勢において第１圧力調整用水槽内に貯留された水を注出する。つまり、ガスに外槽の質量が印加されると、その質量に対応した水が注出される。その結果、外槽が上昇している際の内部のガス圧を、第１圧力調整用水槽を含む内槽の質量と、外槽の質量との総質量に対応したガス圧にすることができる。従って、圧力調整装置により、外槽が上昇する前後にわたるガス圧を略一定に調整することができる。
【００１２】
また、第１圧力調整用水槽に給水する給水手段を更に備え、第１傾動手段は、外槽の着底に応じて、第１圧力調整用水槽を傾斜姿勢から水平姿勢に傾動させ、給水手段により水平姿勢にある第１圧力調整用水槽に給水して外槽の質量に対応した水を貯留させてもよい。かかる構成によれば、有水式ガスホルダからガスを排出すれば、まず外槽及び内槽が降下する。この際、内部のガス圧は、第１圧力調整用水槽を含む内槽の質量と、外槽の質量との総質量に対応したガス圧になる。更にガスを排出すると、外槽が着底して内部のガスに印加されていた外槽の質量が印加されなくなる。この際、この外槽の着底に応じて第１傾動手段により、第１圧力調整用水槽を水平姿勢に傾動し、給水手段により、この水平姿勢の第１圧力調整用水槽に給水する。その結果、外槽の質量に対応した水を貯留させることができる。つまり、ガスに印加されていた外槽の質量が印加されなくなると、その質量に対応した水が貯留される。よって、外槽の着底以後の内部の圧力を、第１圧力調整用水槽を含む内槽の質量と、外槽の質量に対応した水の質量との総質量に対応したガス圧とすることができる。従って、圧力調整装置により、外槽が着底する前後にわたるガス圧を略一定に調整することができる。
【００１３】
また、第１傾斜手段は、第１圧力調整用水槽と外槽とを連結する第１ワイヤで構成され、
第１ワイヤは、内槽と外槽との相対高さが最大のときに緊張する長さを有してもよい。かかる構成によれば、第１ワイヤは、外槽の上昇、つまり、内槽が上昇して外槽に対する相対高さが最大となり、内槽に牽引されることによる外槽の上昇に応じて、緊張されるので、緊張した第１ワイヤにより、第１圧力調整用水槽を傾斜姿勢に傾動することができる。そして、第１ワイヤは、外槽が着底して内槽が降下した際に弛緩されるので、弛緩した第１ワイヤにより、第１圧力調整用水槽を水平姿勢に傾動することができる。
【００１４】
また、第１圧力調整用水槽は、貯留した水が傾斜姿勢で注出される注出口と、注出口に向けて傾斜した傾斜底面と、を有してもよい。かかる構成によれば、傾斜姿勢において、傾斜底面により、第１圧力調整用水槽の内部に貯留された水を滑らかに注出口に向けて流すことができる。そして、注出口により、この水を第１圧力調整用水槽から注出することができる。
【００１５】
また、有水式ガスホルダには、ガスの流出入に応じて昇降自在な中槽が、外槽と内槽との間に更に設けられ、中槽の質量に対応した水を貯留する水平姿勢と、貯留した水が注出される傾斜姿勢との間で傾動可能に内槽に連結された第２圧力調整用水槽と、中槽の上昇に応じて、第２圧力調整用水槽を水平姿勢から傾斜姿勢に傾動させる第２傾動手段と、を更に備えてもよい。かかる構成によれば、有水式ガスホルダにガスを供給すれば、まず内槽が上昇する。この際、水平姿勢にある第１、２圧力調整用水槽には、それぞれ外槽、中槽の質量に対応した水が貯留されている。従って、水を有した第１、第２圧力調整用水槽により、内部のガス圧を、第１、２圧力調整用水槽を含む内槽の質量と、中槽及び外槽の質量に対応した水の質量との総質量に対応したガス圧にすることができる。更にガスを供給すると、中槽が上昇して内部のガスに中槽の質量が印加される。この際、この中槽の上昇に応じて第２傾動手段により、第２圧力調整用水槽を傾斜姿勢に傾動し、この傾斜姿勢において第２圧力調整用水槽内に貯留された水を注出する。つまり、ガスに中槽の質量が印加されると、その質量に対応した水が注出される。その結果、中槽が上昇している際の内部のガス力を、第１、２圧力調整用水槽を含む内槽の質量と、中槽の質量と、第１圧力調整用水槽に貯留された外槽の質量に対応した水の質量との総質量に対応したガス圧とすることができる。従って、圧力調整装置により、中槽が上昇する前後にわたるガス圧を略一定に調整することができる。
【００１６】
また、第２圧力調整用水槽に給水する給水手段を更に備え、第２傾動手段は、中槽の着底に応じて、第２圧力調整用水槽を傾斜姿勢から水平姿勢に傾動させ、給水手段により水平姿勢にある第２圧力調整用水槽に給水して中槽の質量に対応した水を貯留させてもよい。かかる構成によれば、有水式ガスホルダからガスを排出すれば、まず外槽、中槽及び内槽が降下する。この際、内部のガス圧は、第１、２圧力調整用水槽を含む内槽の質量と、外槽及び中槽の質量との総質量に対応したガス圧となる。更にガスを排出して、外槽が着底して第１圧力調整用水槽に外槽の質量に対応した質量の水が貯留された後に、引き続きガスを排出すると、中槽が着底して内部のガスに印加されていた中槽の質量が印加されなくなる。この中槽の着底に応じて第２傾動手段により、第２圧力調整用水槽を水平姿勢に傾動し、給水手段により、この水平姿勢の第２圧力調整用水槽に給水する。その結果、中槽の質量に対応した水を貯留させることができる。つまり、ガスに印加されていた中槽の質量が印加されなくなると、その質量に対応した水が貯留される。よって、中槽の着底以後の内部の圧力を、第１、２圧力調整用水槽を含む内槽の質量と、中槽及び外槽の質量に対応した水の質量との総質量に対応したガス圧とすることができる。従って、圧力調整装置により、中槽が着底する前後にわたるガス圧を略一定に調整することができる。
【００１７】
また、第２傾斜手段は、第２圧力調整用水槽と中槽とを連結する第２ワイヤで構成され、第２ワイヤは、内槽と中槽との相対高さが最大のときに緊張する長さを有してもよい。かかる構成によれば、第２ワイヤは、中槽の上昇、つまり、内槽が上昇して中槽に対する相対高さが最大となり、内槽に牽引されることによる中槽の上昇に応じて、緊張されるので、緊張した第２ワイヤにより、第２圧力調整用水槽を傾斜姿勢に傾動することができる。そして、第２ワイヤは、中槽が着底して内槽のみが降下した際に弛緩されるので、弛緩した第２ワイヤにより、第２圧力調整用水槽を水平姿勢に傾動することができる。
【００１８】
また、第２圧力調整用水槽は、貯留した水が傾斜姿勢で注出される注出口と、注出口に向けて傾斜した傾斜底面と、を有してもよい。かかる構成によれば、傾斜姿勢において、傾斜底面により、第２圧力調整用水槽の内部に貯留された水を滑らかに注出口に向けて流すことができる。そして、注出口により、この水を第２圧力調整用水槽から注出することができる。
【００１９】
また、上記課題を解決するために、本発明の別の観点によれば、底部に設けられた水槽内にガスの流出入に応じて昇降自在な外槽及び内槽が設けられた有水式ガスホルダにおいて、有水式ガスホルダ内のガス圧を調整する圧力調整方法であって、水を貯留する水平姿勢と貯留した水が注出される傾斜姿勢との間で傾動可能な第１圧力調整用水槽を内槽に連結し、外槽が着底しているときに、第１圧力調整用水槽を水平姿勢にして給水し、第１圧力調整用水槽に外槽の質量に対応する水を貯留させ、外槽の上昇に応じて、第１圧力調整用水槽を水平姿勢から傾斜姿勢に傾動し、第１圧力調整用水槽から貯留した水を注出することを特徴とする、有水式ガスホルダの圧力調整方法が提供される。かかる構成によれば、圧力調整方法により、外槽が上昇又は着底する前後にわたるガス圧を略一定に調整することができる。
【発明の効果】
【００２０】
以上説明したように本発明によれば、発火源となりうる部材を使用せずに単純な機械的構造を用いて、有水式ガスホルダ内のガス圧を一定に保つことができる。
【発明を実施するための最良の形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
＜第１の実施形態＞
まず、図１を参照して、本発明の第１の実施形態に係る有水式ガスホルダの圧力調整装置の構成について説明する。図１は、本実施形態に係る有水式ガスホルダ１０の圧力調整装置１００の構成を示す概略断面図であり、内部にガスが供給される前の状態を示している。つまり、この場合、全てのガス槽（内槽１６、外槽１４）は、水槽１２の内部において降下しきり、着底した状態となる。
【００２３】
（有水式ガスホルダ１０）
有水式ガスホルダ１０は、水を貯留する水槽１２と、水槽１２の内部に昇降自在に設けられた外槽１４と、外槽１４の内部に昇降自在に設けられた内槽１６と、水槽１２の周囲に垂直に配置され外槽１４及び内槽１６の昇降動作を案内する複数の基柱１８と、を有する。
【００２４】
水槽１２は、有水式ガスホルダ１０の底部１１に配置され内部に水を貯留する水槽であって、この水がガスシールの役割を担う。尚、水槽１２は、例えば、底面が略円形で、蓋の無い略円筒形に形成されてもよい。そして、水槽１２の内周面上方には、外槽１４の外周面下方と係合するようデップが形成される。また、水槽１２の底面を貫通して、水面上までガス配管１９が形成される。このガス配管１９は、有水式ガスホルダ１０内部にガスを供給し、内部のガスを排出するガス入出管である。このガス配管１９は、ガスの発生箇所及び使用箇所に接続される。但し、ガス配管１９は、例えば、ガスの発生箇所に接続されガスを供給するガス入管と、使用箇所に接続されガスを排出するガス出管と等のように複数のガス配管によって構成されてもよい。
【００２５】
外槽１４は、水槽１２の内部に昇降自在に設けられる。外槽１４は、例えば、底及び蓋の無い略円筒形に形成されてもよい。この際、外槽１４は、水槽１２よりも一回り小さい直径で形成され、水槽１２の内部に挿入可能に形成される。尚、外槽１４の外周面下方には、水槽１２の内周面上方のデップと係合するようカップが形成され、外槽１４の内周面上方には、後述する内槽１６の外周面下方に形成されたカップと係合するように、デップが形成される。
【００２６】
内槽１６は、水槽１２の内部に昇降自在に設けられる。内槽１６は、例えば、有頂で底の無い略円筒形に形成されてもよい。この際、内槽１６は、外槽１４よりも一回り小さい直径で形成され、外槽１４の内部に挿入可能に形成される。尚、内槽１６の外周面下方には、外槽１４の内周面上方のデップと係合するようにカップが形成される。
【００２７】
ここで、上記のカップ及びデップについて説明する。カップは、対応する部材の外周面下方に断面が略コの字状に形成され、上方にコの字の開口部を有する。よって、カップは、その内部に水を掬い上げることができる。そして、デップは、対応する部材の内周面上方に断面が略コの字状に形成され、カップと反対にコの字の開口部を下方に有する。よって、デップは、カップと係合することができる。この内槽１６の外周面下方に形成されたカップと、外槽１４の内周面上方に形成されたデップとの係合、及び、外槽１４の外周面下方に形成されたカップと水槽１２の内周面上方に形成されたデップとの係合については、後述する。
【００２８】
基柱１８は、地盤又は水槽１２等に固定され、水槽１２の周囲に垂直に複数本配置される。基柱１８は、例えば、水槽１２の周囲に等間隔で配置されてもよい。尚、図１では、水槽１２の中心を対称に配置された２本の基柱１８のみを、模式的に示しているが、これに限定されず、基柱１８は、２本以上備えられてもよい。この基柱１８は、外槽１４及び内槽１６の昇降運動をガイドする役割を担う。
【００２９】
そのために外槽１４及び内槽１６の外周上部には、例えば、ガイドアーム（図示せず。）とガイドローラ（図示せず。）とが配置されてもよい。外槽１４及び内槽１６が昇降する際、このガイドアームを介してガイドローラが基柱１８に接して回転することにより、基柱１８は、外槽１４及び内槽１６を案内する。このガイドアームとガイドローラとについては、一般的に知られた構造が採用されうる。
【００３０】
このような構成を有する有水式ガスホルダ１０は、所定のガスを貯蔵するためのガスホルダであって、当該ガスの出し入れが頻繁に行われるのに適したガスホルダである。このガスとしては、例えば、ＣＯを主成分とする転炉ガス（ＬＤＧ）、天然ガス等、様々なガスであってもよい。ガスを貯蔵するためには、機密性が非常に重要であり、漏れが生じた場合には、環境的にも安全面にも重大な影響を与えうる。有水式ガスホルダ１０は、この機密性を保つために、水圧（但し、如何なる液体も使用可能である。）によるシール機構を使用する。有水式ガスホルダ１０によれば、乾式ガスホルダ等に使用される摩擦等による機械的シール機構に比べて、耐久性に優れており、頻繁に行われるガスの出し入れに耐えうる。
【００３１】
（圧力調整装置１００）
以上、有水式ガスホルダ１０の構成について説明した。この有水式ガスホルダ１０は、内部のガス圧を調整して、略一定に維持すべく圧力調整装置１００を有する。以下に、この圧力調整装置１００の構成について、図１を参照して説明する。
【００３２】
本実施形態に係る圧力調整装置１００は、ガス圧の変動がガス配管１９を介してガスの発生箇所及び使用箇所に影響しないように、有水式ガスホルダ１０の内分に貯蔵されたガスの圧力を略一定に調整する装置であり、１又は２以上の第１圧力調整用水槽１１０と、第１傾動手段と、給水手段と、を有する。
【００３３】
（第１圧力調整用水槽１１０）
第１圧力調整用水槽１１０は、内槽１６の内部において、内槽１６と連結して配置され、外槽１４に対応付けられている。尚、図１には、便宜的に２個の第１圧力調整用水槽１１０を模式的に示すが、第１圧力調整用水槽１１０は、係る例に限定されず、例えば、１個だけ備えられても良く、３個以上の複数個備えれられてもよい。但し、第１圧力調整用水槽１１０に貯留される水の総質量は、外槽１４の質量と略等しくなるように、第１圧力調整用水槽１１０の貯水容量及び個数が設定される。
【００３４】
第１圧力調整用水槽１１０は、例えば、内槽１６の内部において側壁に連結され左右に延長形成された内槽１６のサポート部材１６１に、サポート部材１６１から垂直方向の下方に延長形成された水槽支持部材１６２を介して連結されてもよい。この場合、内槽１６のサポート部材１６１は、第１圧力調整用水槽１１０と、その内部に貯留される水との荷重を支えうるように、補強部材等によって強度の補強が成されてもよい。この様に配置することにより、第１圧力調整用水槽１１０とその内部に貯留される水との質量は、内槽１６によって保持される。
【００３５】
第１圧力調整用水槽１１０は、水槽支持部材１６２に水平姿勢と傾斜姿勢との間で傾動可能に支持される。第１圧力調整用水槽１１０は、水平姿勢において外槽１４の質量に対応した質量の水を貯留することができ、この水平姿勢から傾動することにより、傾斜姿勢において内部に貯留している水を注出することができる。
【００３６】
この第１圧力調整用水槽１１０の構成を、図２、３を参照して詳しく説明する。図２は、本実施形態に係る第１圧力調整用水槽１１０の構成及び動作を示す図面である。ここで、図２の（ａ）は、水平姿勢における第１圧力調整用水槽１１０の正面図を示し、（ｂ）は、第１圧力調整用水槽１１０を（ａ）の右方向より見た右方側面図を示し、（ｃ）は、第１圧力調整用水槽１１０が、後述の第１傾動手段により傾斜姿勢に傾動した状態を示す。図３は、本実施形態に係る第１圧力調整用水槽１１０の構成を示す概略斜視図である。
【００３７】
第１圧力調整用水槽１１０は、傾斜していない状態、つまり、水平姿勢Ｈにおいて、略水平な底面１１２と、底面１１２から注出口１１１に向けて傾斜した傾斜底面１１３と、傾斜底面１１３が配置された位置と反対の底面１１２の端部に垂直に形成された側面１１４と、傾斜底面１１３と側面１１４との間に形成された側面１１５と、を有する。即ち、第１圧力調整用水槽１１０は、水平姿勢Ｈにおいて、底面１１２と傾斜底面１１３と側面１１４と側面１１５とによって囲まれた内部に水を貯留することができる。また、第１圧力調整用水槽１１０は、その上部に注出口１１１を有する。この注出口１１１は、傾斜底面１１３の上端部と側面１１４の上端部と側面１１５の上端部とによって囲まれた空間に形成される。この注出口１１１は、第１圧力調整用水槽１１０が傾動することにより、内部に貯留された水を放出することができる。
【００３８】
第１圧力調整用水槽１１０の注出口１１１、底面１１２、傾斜底面１１３、側面１１４及び側面１１５の形成例を図３に示す。例えば、底面１１２は、幅ｗ１、奥行ｄで形成され、側面１１４は、高さｈ、奥行ｄで形成され、側面１１５は、底辺の幅がｗ１、上辺の幅がｗ２、高さｈで形成されうる。この場合、注出口１１１は、幅ｗ２、奥行ｄで形成されうる。この第１圧力調整用水槽１１０の貯水容量Ｖは、上記各辺の長さ等に依存するが、第１圧力調整用水槽１１０に貯留される水の総質量が外槽１４の質量と略等しくなるように、第１圧力調整用水槽１１０の個数と共に、貯水容量Ｖを決定し、各辺の長さを変更することができる。
【００３９】
この様な構成を有する第１圧力調整用水槽１１０は、水槽支持部材１６２の下方に配置された水槽傾動軸１６３に軸支される。従って、第１圧力調整用水槽１１０は、水槽傾動軸１６３を中心に水平姿勢Ｈと傾斜姿勢Ｔとの間で傾動することができ、水平姿勢Ｈにおいて第１圧力調整用水槽１１０及びその内部に貯留される水の荷重は、水槽傾動軸１６３、水槽支持部材１６２、サポート部材１６１を順次介して、内槽１６に伝達される。つまり、第１圧力調整用水槽１１０は、内槽１６に吊持された状態となる。
【００４０】
また、第１圧力調整用水槽１１０の側面１１５の上端にはストッパ１１６Ａ、１１６Ｂが配置される。そして、水槽支持部材１６２の水槽傾動軸１６３の上方には係止部材１６４が配置される。第１圧力調整用水槽１１０は、傾斜していない状態、つまり水平姿勢Ｈでは、注出口１１１が水平となるように、ストッパ１１６Ａが係止部材１６４によって係止されるので、水平姿勢Ｈを維持することができる（図２の（ａ）参照。）。更に、第１圧力調整用水槽１１０は、後述の第１傾動手段（第１ワイヤ１２０等）によって傾動されると、ストッパ１１６Ｂが係止部材１６４によって係止されるので、一定の傾き以上傾動せず、一定の傾きを維持する（図２の（ｂ）参照。）。この傾いた姿勢を、傾斜姿勢Ｔとする。
【００４１】
この際、第１圧力調整用水槽１１０は、例えば、その重心が水槽傾動軸１６３よりも側面１１４側に位置するように形成されてもよい。即ち、後述の第１傾動手段によって傾動されない場合、第１圧力調整用水槽１１０は、ストッパ１１６Ａが係止部材１６４に係止された状態を維持し、常に水平姿勢Ｈに保たれてもよい。
【００４２】
第１圧力調整用水槽１１０は、このような構成を有することにより、第１傾動手段によって傾動されない場合（水平姿勢Ｈ）は、注出口１１１を水平状態に保ち、内部に水を貯留することができ、第１傾動手段によって傾動された場合（傾斜姿勢Ｔ）、注出口１１１から内部の水を注出することができる。この際、傾斜底面１１３を有し、傾斜底面１１３が略水平と成るように第１圧力調整用水槽１１０が傾動されることにより、第１圧力調整用水槽１１０は、より効率的に内部の水を放出することができる。
【００４３】
更に、第１圧力調整用水槽１１０は、第１傾動手段が連結されるワイヤフック１１７を備える。
【００４４】
（第１傾動手段）
第１傾動手段は、外槽１４の昇降動作に対応して、第１圧力調整用水槽１１０の傾斜を調整することにより、第１圧力調整用水槽１１０に貯留された水を注出させる。つまり、有水式ガスホルダ１０にガスが供給される場合、第１傾動手段は、外槽１４は動かず内槽１６が上昇している間、注出口１１１が水平な状態である水平姿勢Ｈに第１圧力調整用水槽１１０を維持することで内部に水を貯留した状態を維持させる。そして、第１傾動手段は、外槽１４の上昇に応じて、つまり、外槽１４が上昇を開始する際に、第１圧力調整用水槽１１０を水平姿勢Ｈから傾斜姿勢Ｔに傾動させ、内部に貯留された水を注出させる。そして、有水式ガスホルダ１０からガスを排出する場合、第１傾動手段は、外槽１４及び内槽１６の両方が下降している間、第１圧力調整用水槽１１０を傾斜した状態である傾斜姿勢Ｔに維持し、内部に水が貯留されるのを防ぎ、外槽１４が着水して下降しきり、水槽１２に着底する際、つまり、外槽１４は停止し内槽１６が下降する際に、第１圧力調整用水槽１１０を傾斜姿勢Ｔから水平姿勢Ｈに傾動させて、注出口１１１を水平に保ち、内部に水を貯留させる。
【００４５】
換言すれば、外槽１４が上昇を開始する際とは、内槽１６が外槽１４に対する相対的な上昇を完了し、外槽１４が上昇を開始するときを意味する。従って、内槽１６の外槽１４に対する相対的な上昇が完了したときに、第１傾動手段は、第１圧力調整用水槽１１０を傾斜姿勢Ｔに傾動させる。更に換言すれば、第１傾動手段は、外槽１４が完全に降下しきった状態以外の場合に、第１圧力調整用水槽１１０を傾斜姿勢Ｔに傾動させる。この第１傾動手段の一例として、図１には、第１ワイヤ１２０を示す。
【００４６】
第１ワイヤ１２０は、第１傾動手段の一例であって、一定の長さで形成され、その両端を第１圧力調整用水槽１１０のワイヤフック１１７と、外槽１４の内周下端部１４１とに連結される。この第１ワイヤ１２０の長さは、内槽１６のカップと外槽１４のデップとが係合した際に、緊張され、第１圧力調整用水槽１１０を傾斜姿勢Ｔに傾動させるように調整される。
【００４７】
即ち、第１ワイヤ１２０は、内槽１６と外槽１４とが係合した際、つまり、外槽１４が上昇を開始する際に、緊張され、第１圧力調整用水槽１１０を傾動させる。換言すれば、第１ワイヤ１２０は、外槽１４に対する内槽１６の相対高さに応じて緊張されて、第１圧力調整用水槽１１０を傾斜姿勢Ｔに傾動させる。つまり、第１ワイヤ１２０は、この相対高さが内槽１６の昇降と外槽１４の昇降とに応じて最大となった際に、緊張し、第１圧力調整用水槽１１０を傾斜姿勢Ｔに傾動させ、この相対高さが最大の高さでない場合には、弛緩し、第１圧力調整用水槽１１０を傾斜姿勢Ｔから水平姿勢Ｈに傾動させ、第１圧力調整用水槽１１０の注出口１１１を水平に維持させる。
【００４８】
（給水手段）
給水手段は、一部の配管を除き有水式ガスホルダ１０の外部に配置され、水槽１２内に貯留された水を第１圧力調整用水槽１１０に供給する。この給水手段の一例として、図１には、給水装置１３０を示す。
【００４９】
給水装置１３０は、給水手段の一例であって、例えば、吸水配管１３１と、給水ポンプ１３２と、バルブ１３２Ａ、１３２Ｂと、給水配管１３３と、ホース１３４と、水分配管１３５と、複数の給水配管１３６と、を有してもよい。
【００５０】
吸水配管１３１は、水槽１２の側面に連結され、水槽１２の内部の水を給水ポンプ１３２に供給する。給水ポンプ１３２は、吸水配管１３１にバルブ１３２Ａを介して連結され、水の供給を受けて加圧し、給水配管１３３に供給する。給水配管１３３は、給水ポンプ１３２にバルブ１３２Ｂを介して連結され、基柱１８に沿って上方に延長形成され、給水ポンプ１３２によって加圧された水を上方にガイドしてホース１３４に供給する。ホース１３４は、給水配管１３３に連結部１３４Ａを介して連結され、供給された水を水分配管１３５に供給する。水分配管１３５は、内槽１６の頂部の上方に配置され、ホース１３４に連結部１３４Ｂを介して連結され、複数の給水配管１３６に水を分配する。給水配管１３６は、水分配管１３５に連結し、外槽用の第１圧力調整用水槽１１０に対応して設けられる。そして、給水配管１３６は、内槽１６の頂部を貫通して配置され、供給された水を対応した第１圧力調整用水槽１１０に供給する。
【００５１】
この際、ホース１３４は、例えば、フレキシブルホースで形成され、形状を自由に変形しうる。従って、ホース１３４は、ガスの供給排出に伴い、内槽１６が昇降した際に、水分配管１３５が昇降しても、給水配管１３３から水分配管１３５へ水を供給することができる。また、バルブ１３２Ａ、１３２Ｂは、給水ポンプ１３２の設置等のためのバルブであり、下記の動作においては常に全開にされる。
【００５２】
（動作）
以上、有水式ガスホルダ１０と、有水式ガスホルダ１０の圧力調整装置１００との構成について説明した。以下では、図１、図４〜図７を参照して、有水式ガスホルダ１０の圧力調整装置１００の動作について説明する。
【００５３】
図４は、本実施形態に係る圧力調整装置１００の動作を示す概略断面図であり、内槽１６が上昇している最中を示す。図５は、本実施形態に係る圧力調整装置１００の動作を示す概略断面図であり、内槽１６と外槽１４とが係合し、内槽１６及び外槽１４が上昇している状態を示す。図６は、図５の部分Ｐを拡大した内槽１６と外槽１４との係合を示す概略断面斜視図である。図７は、本実施形態に係る圧力調整装置１００の動作を示す概略断面図であり、内槽１６と外槽１４とが上昇し、ガスが満量貯蔵された状態を示す。
【００５４】
（ガス供給過程）
まず、有水式ガスホルダ１０にガスを供給し、内部にガスを貯留する場合について説明する。図４に示すように、有水式ガスホルダ１０に、ガス配管１９を介してガスを供給すると、まず、内槽１６が上昇する。この際、第１ワイヤ１２０は、第１圧力調整用水槽１１０を傾動させておらず、第１圧力調整用水槽１１０は、水平姿勢Ｈを維持している。従って、第１圧力調整用水槽１１０には、外槽１４の質量に対応した水が貯留されている。例えば、１つの第１圧力調整用水槽１１０が備えられる場合、その内部に貯留される水の質量は、外槽１４の質量に略等しく、複数の第１圧力調整用水槽１１０が備えられる場合、その内部に貯留される水の総質量が、外槽１４の質量に略等しくなってもよい。
【００５５】
この場合、内部のガスの圧力は、内槽１６の質量と、複数の第１圧力調整用水槽１１０の質量と、第１圧力調整用水槽１１０の内部に貯留された水の質量との総和に対応した圧力となる。
【００５６】
この際、このガスの圧力は、サポート部材１６１と、水槽支持部材１６２と、水分配管１３５及び給水配管１３６と等の質量にも依存するが、これらの質量によりガスに加えられる圧力は、以下の動作にわたり一定であるため、ここでは省略する。また、内槽１６の質量及び外槽１４の質量によりガスに加えられる圧力は、それぞれ内槽１６及び外槽１４が入水している場合に受ける浮力分減少するが、この浮力は、内槽１６及び外槽１４の質量に比べれば小さいため、ここでは省略する。
【００５７】
更に有水式ガスホルダ１０にガスを供給すると、内槽１６は更に上昇する。そして、図５に示すように、内槽１６の外周下方に形成されたカップと、外槽１４の内周上方に形成されたデップとが係合し、水圧シールを形成する。
【００５８】
この水圧シール３００を、図６に示す。カップ３１０は、内槽１６の外周下方に断面が略コの字状になり、略コの字の開口部が上方になるように形成される。そして、デップ３２０は、外槽１４の内周下方に断面が略コの字状になり、略コの字の開口部が下方になるように形成される。よって、このカップ３１０は、水を掬い上げつつデップ３２０と係合し、内槽１６のカップ３１０と外槽１４のデップ３２０との間には水が貯留される。この水によって、有水式ガスホルダ１０の内外は封止される。また、カップ３１０とデップ３２０とが図６に示すように係合することにより、内槽１６の上昇力は、外槽１４に伝達される。従って、内槽１６は、外槽１４を上方に牽引し、外槽１４は、上昇を開始する。
【００５９】
この外槽１４が上昇を開始する際、つまり、内槽１６と外槽１４との相対高さが最大となったとき、第１ワイヤ１２０は、外槽１４の内周下端部１４１と第１圧力調整用水槽１１０のワイヤフック１１７との間で緊張され、第１圧力調整用水槽１１０を水平姿勢Ｈから傾斜姿勢Ｔに傾動させる。傾斜姿勢Ｔに傾動された第１圧力調整用水槽１１０は、内部に貯留していた外槽１４に質量に対応する水を傾斜底面１１３及び注出口１１１を介して注出する。注ぎ出された水は、水槽１２に供給される。
【００６０】
従って、外槽１４が上昇するとき、つまり、第１圧力調整用水槽１１０が水を注出した後の有水式ガスホルダ１０のガスの圧力は、内槽１６の質量と、外槽１４の質量と、第１圧力調整用水槽１１０の質量との総和に対応した圧力となる。
【００６１】
この際、第１圧力調整用水槽１１０の内部に貯留されていた水の質量（又は総質量）と外槽１４の質量とを略等しく設定することにより、両者の質量は相殺される。つまり、外槽１４が上昇する以前のガス圧を決定している内槽１６と第１圧力調整用水槽１１０と第１圧力調整用水槽１１０の内部に貯留された水との質量の総和と、外槽１４が上昇する際のガス圧を決定している内槽１６と外槽１４と第１圧力調整用水槽１１０との質量の総和とが、等しくなるため、外槽１４が上昇する前後にわたるガス圧の変動を防止することができる。
【００６２】
尚、傾斜底面１１３は、傾斜姿勢Ｔにおいて第１圧力調整用水槽１１０からの水の放出を一気に行うため、この総質量の調整、つまり、ガス圧の調整によるガス圧の変動をさらに効率的に抑えることができる。
【００６３】
図７に示すように、更にガスを供給すると、内槽１６と外槽１４とは、更に上昇し、外槽１４の外周下方に形成されたカップと、水槽の内周上方に形成されたデップとが係合し、水圧シールを形成する。この状態は、内槽１６と外槽１４とが完全に上昇しきった状態であり、有水式ガスホルダ１０の内部にガスが満量貯蔵された状態を示す。尚、この水圧シールについては、内槽１６と外槽１４との間の水圧シール３００と同様であるため、ここでの説明は省略する。
【００６４】
上記一連のガス供給過程において、給水装置１３０は、例えば、常に駆動し、水槽１２の水を第１圧力調整用水槽１１０に常に供給してもよいが、給水装置１３０は、これに限定されず、例えば、外槽１４が上昇を開始する以前に、第１圧力調整用水槽１１０に外槽１４の質量に対応する水を貯留した段階で、一端停止されてもよく、その後のガス供給過程においては、駆動されなくてもよい。
【００６５】
（ガス排出過程）
次に、有水式ガスホルダ１０に貯留したガスを排出し、ガスの使用箇所に供給する場合について説明する。有水式ガスホルダ１０からガスを排出する場合、圧力調整装置１００は、上記ガス供給過程と逆の動作を行う。但し、以下では、ガスを排出する際には、給水装置１３０は、例えば、常に駆動して、水槽１２の水を第１圧力調整用水槽１１０に常に供給するとする。しかし、給水装置１３０は、水平姿勢Ｈにある第１圧力調整用水槽１１０に給水し、外槽１４の質量に対応した水を給水する間以外の間は、適宜停止されてもよい。
【００６６】
有水式ガスホルダ１０からガス配管１９を介してガスを排出すると、図５に示すように、内槽１６と外槽１４との相対位置関係は変わらずに、外槽１４のカップと水槽１２のデップとの係合が解かれ、内槽１６及び外槽１４が降下する。この際、有水式ガスホルダ１０の内部のガスの圧力は、内槽１６の質量と、外槽１４の質量と、第１圧力調整用水槽１１０の質量との総和に対応した圧力となる。
【００６７】
更に有水式ガスホルダ１０からガスを排出すると、図４に示すように、外槽１４が完全に降下しきり、外槽１４が水槽１２に着底し、内槽１６のカップと外槽１４のデップとの係合が解かれる。この際、外槽１４が完全に降下しきり着底すると、内槽１６が更に降下するため、内槽１６と外槽１４との相対高さが減少して、第１ワイヤ１２０は弛緩する。その結果、第１ワイヤ１２０による第１圧力調整用水槽１１０の傾斜姿勢Ｔへの傾動も解かれる。従って、第１圧力調整用水槽１１０は、傾斜姿勢Ｔから注出口１１１が水平になる水平姿勢Ｈに傾動され、給水装置１３０から水を供給され、当該水を内部の貯留し、第１圧力調整用水槽１１０には、外槽１４の質量に対応した質量の水が貯留される。
【００６８】
従って、外槽１４が完全に降下して着底し、内槽１６のみが降下している際、有水式ガスホルダ１０の内部のガスの圧力は、内槽１６の質量と、第１圧力調整用水槽１１０の質量と、第１圧力調整用水槽１１０の内部に貯留された水の質量との総和に対応した圧力となる。
【００６９】
よって、外槽１４の質量と第１圧力調整用水槽１１０の内部に貯留される水の質量とを略等しく設定することにより、両者の質量によりガスが受ける圧力は相殺される。つまり、外槽１４が完全に降下する以前のガス圧を決定している内槽１６と外槽１４と第１圧力調整用水槽１１０との質量の総和が、外槽１４が完全に降下した以降のガス圧を決定している内槽１６と第１圧力調整用水槽１１０と第１圧力調整用水槽１１０の内部に貯留された水との質量の総和と、等しくなるため、外槽１４が完全に降下する前後にわたるガス圧の変動を防止することができる。
【００７０】
図１に示すように、更にガスを排出すると、内槽１６は、更に下降して完全に降下する。この状態は、内槽１６と外槽１４とが完全に降下しきり着底した状態であり、有水式ガスホルダ１０からガスを排出しきった状態を示す。尚、本実施形態においては、内槽１６が完全に降下しても、内槽１６の上部の空間にはガスが少量貯蔵されているが、かかる例に限定されないことはいうまでも無い。
【００７１】
（効果）
以上、有水式ガスホルダ１０の圧力調整装置１００の構成及び動作を、図１〜図７を参照して説明した。この様な本実施形態に係る有水式ガスホルダ１０の圧力調整装置１００によれば、内部に第１圧力調整用水槽１１０を備え、第１圧力調整用水槽１１０に外槽１４の質量と略等しい質量の水を貯留し、外槽１４が上昇する際に、この貯留した水を放出することにより、有水式ガスホルダ１０の内部のガスにかかる圧力を一定に維持することができる。従って、有水式ガスホルダ１０のガス供給及び排出時に起こりうる、ガス圧の変動を防ぐことができるので、ガス圧の変動によってガス供給箇所及び使用箇所が影響を受けることを防ぐことができ、ガス圧の変動に対するガス供給箇所及び使用箇所の使用制限を回避することができる。
【００７２】
また、ガス配管系統上や有水式ガスホルダ１０の内部に圧力制御弁や計測装置、電子機器等の発火源となりうる部材を使用せずにガス圧を調整することができるため、火災や爆発に対する安全性を向上させることができる。そして、更に、これら電子機器等を使用せずに構成することができるため、装置をシンプルな機械的構造のみで構成することができ、かつ、安価に形成することができる。
【００７３】
尚、特許文献１に記載の従来の圧力調整装置によれば、ガスブロワ及び圧力制御弁等を備え、このガスブロワ及び圧力制御弁等は、ガス内部の粉塵等による影響を受けやすく、メンテナンスを必要とした。従って、ガスブロワ、圧力制御弁等のメンテナンスのために、その都度、メンテナンス作業が発生したガス配管系統等のガスを排出し、ガスの発生箇所及び使用箇所等の稼動を部分的に停止する必要があった。しかし、本実施形態に係る圧力調整装置１００によれば、ガスブロア、圧力制御弁等の頻繁にメンテナンスを必要とする部材を使用せずシンプルな機械構造のみにより構成されるため、メンテナンスに要する労力を軽減することができる。
【００７４】
そして、この従来の圧力調整装置によれば、内槽の頂部上に調整用水槽を配置するため、有水式ガスホルダ全体の重心位置が高くなり、風荷重、地震荷重等による倒壊の恐れがあるが、本実施形態に係る圧力調整装置１００によれば、第１圧力調整用水槽１１０を内槽１６の内部に配置することができ、重心位置が高くなることを防ぐことができる。従って、荷重、地震荷重等による倒壊の恐れを低減することができる。
【００７５】
更に、この従来の圧力調整装置によれば、給排水弁により調整用水槽の貯水量を制御するが、このような弁の駆動は、一般的に数分程度の時間がかかるため、外槽の上昇に応じて調整用水槽に貯留した水を排出する際に、相当の時間を要し、結果としてガス圧の変動を外槽１４の上昇直後には調整できずに、外槽１４が上昇する際の圧力変動を適切に抑えることができない場合があった。しかし、本実施形態に係る圧力調整装置１００によれば、第１圧力調整用水槽１１０は、第１ワイヤ１２０によって一気に傾動され、かつ、傾斜底面１１３を有するため、内部に貯留した水を一気に放出することができる。従って、外槽１４の上昇に応じて即座に、かつ適切にガス圧の変動を調整することができる。
【００７６】
＜第２の実施形態＞
次に、図８を参照して、本発明の第２の実施形態に係る有水式ガスホルダの圧力調整装置の構成について説明する。本実施形態に係る有水式ガスホルダは、内槽及び外槽に加えて、更に中槽を備える。この場合の本実施形態に係る圧力調整装置もこれに対応した構成を有する。以下では、この構成の違いを中心に説明する。図８は、本実施形態に係る有水式ガスホルダ２０の圧力調整装置２００の構成を示す概略断面図であり、内部にガスが供給される前の状態を示している。つまり、この場合、全てのガス槽（内槽１６、中槽１５、外槽１４）は、水槽１２の内部において降下しきり、着底した状態となる。
【００７７】
この有水式ガスホルダ２０は、上述の通り第１の実施形態に係る有水式ガスホルダ１０が有する構成に加え、更に中槽１５を備える。そして、圧力調整装置２００は、第１の実施形態に係る圧力調整装置１００が有する構成に加え、更に、１又は２以上の第２圧力調整用水槽２１０と、第２傾斜手段と、を備える。従って、以下では、第１の実施形態との相違点を中心に説明し、共通する点については説明を省略する。
【００７８】
（有水式ガスホルダ２０）
有水式ガスホルダ２０は、第１の実施形態に係る有水式ガスホルダ１０が有する構成に加え、更に、外槽１４と内槽１６との間に中槽１５を有する。以下では、説明の便宜上、中槽１５が１つだけ備える場合について説明する。
【００７９】
図８に示すように、中槽１５は、外槽１４の内部に昇降自在に設けられる。中槽１５は、例えば、底及び蓋の無い略円筒形に形成されてもよい。この際、中槽１５は、外槽１４よりも一回り小さい直径で形成され、外槽１４の内部に挿入可能に形成される。尚、中槽１５の外周面下方には、外槽１４の内周面上方のデップと係合するようカップが形成され、中槽１５の内周面上方には、内槽１６の外周面下方のカップと係合するようにデップが形成される。
【００８０】
ここで、内槽１６の外周面下方に形成されたカップと、中槽１５の内周面上方に形成されたデップとの係合、及び、中槽１５の外周面下方に形成されたカップと外槽１４の内周面上方に形成されたデップとの係合については、上記第１の実施形態における内槽１６のカップ３１０と外槽１４のデップ３２０との係合と同様であるため、ここでの説明は省略する（図６参照。）。
【００８１】
この場合、基柱１８は、外槽１４及び内槽１６に加え、中槽１５の昇降運動をガイドする役割をも担う。そのために、中槽１５の外周上部にも、外槽１４及び内槽１６と同様に、例えば、ガイドアーム（図示せず。）とガイドローラ（図示せず。）とが配置されてもよい。
【００８２】
（圧力調整装置２００）
以上、有水式ガスホルダ２０が第１の実施形態に係る有水式ガスホルダ１０の構成に加えて備える中槽１５について説明した。次に、図８を参照して、有水式ガスホルダ２０が内部のガス圧を調整して略一定に維持すべく備える圧力調整装置２００について説明する。
【００８３】
本実施形態に係る圧力調整装置２００は、ガス圧の変動がガス配管１９を介してガスの発生箇所及び使用箇所に影響しないように、有水式ガスホルダ２０の内分に貯蔵されたガスの圧力を略一定に調整する装置であり、第１の実施形態に係る圧力調整装置１００の構成に加えて、更に、１又は２以上の第２圧力調整用水槽２１０と、第２傾動手段と、を備える。
【００８４】
（第２圧力調整用水槽２１０）
第２圧力調整用水槽２１０は、内槽１６の内部において、内槽１６と連結されて配置され、中槽１５に対応付けられている。尚、図８には、説明の便宜上、１個の第１圧力調整用水槽１１０と、１個の第２圧力調整用水槽２１０とを模式的に示すが、第１圧力調整用水槽１１０及び第２圧力調整用水槽２１０は、係る例に限定されず、例えば、２個以上の複数個備えれられてもよい。但し、第１圧力調整用水槽１１０に貯留される水の総質量が外槽１４の質量と略等しくなるように、第１圧力調整用水槽１１０の貯水容量及び個数が設定され、第２圧力調整用水槽２１０に貯留される水の総質量が中槽１５の質量と略等しくなるように、第２圧力調整用水槽２１０の貯水容量及び個数が設定される。
【００８５】
第２圧力調整用水槽２１０は、例えば、第１圧力調整用水槽１１０と同様に、サポート部材１６１、水槽支持部材１６２、水槽傾動軸１６３等を介して、内槽１６に吊持された状態で配置される。また、第２圧力調整用水槽２１０は、水槽支持部材１６２に水平姿勢と傾斜姿勢との間で傾動可能に支持される。また、第１圧力調整用水槽１１０は、傾動することにより、傾斜姿勢において内部に貯留している水を注出する注出口１１１を有する。
【００８６】
この第２圧力調整用水槽２１０の配置及び構成は、第１圧力調整用水槽の配置及び構成と同様であるため、ここでの詳しい説明は省略する。但し、第２圧力調整用水槽２１０は、中槽１５に対応付けられ、貯留する水の総質量が、中槽１５の質量と略等しくなるように、個数及び貯水容量が決定される点と、ワイヤフック１１７に第２傾動手段が連結される点と等で、第１圧力調整用水槽１１０と異なる。
【００８７】
また、本実施形態において複数の第１圧力調整用水槽１１０及び第２圧力調整用水槽２１０を備える場合、内槽１６に対して第１圧力調整用水槽１１０と第２圧力調整用水槽２１０とは、例えば、図９に示すように配置されてもよい。図９は、第１圧力調整用水槽１１０、第２圧力調整用水槽２１０の配置位置を概略的に示す、内槽１６の概略底面図である。
【００８８】
図９に示すように、内槽１６の中心Ｏを中心にサポート部材１６１が放射状に配置される。そして、内槽１６の円周方向にそって各サポート部材１６１に第１圧力調整用水槽１１０と第２圧力調整用水槽２１０とが交互に配置される。この様に配置することにより、有水式ガスホルダ２０全体の重心を常に、内槽１６の中心Ｏの付近に維持することができる。従って、後述するように第１圧力調整用水槽１１０が貯留した水を注出するタイミングと、第２圧力調整用水槽２１０が貯留した水を注出するタイミングとが同時でないことにより、有水式ガスホルダ２０全体の重心位置が変動し、バランスが崩れることを防止することができる。
【００８９】
また、この様に配置する場合、例えば、第１圧力調整用水槽１１０及び第２圧力調整用水槽２１０の傾動する方向を全て、内槽１６の中心Ｏの方向、又は、内槽１６の外周方向に揃えることにより、有水式ガスホルダ２０のバランスを更に向上させることができる。
【００９０】
（第２傾動手段）
第２傾動手段は、中槽１５の昇降動作に対応して、第２圧力調整用水槽２１０の傾斜を調整することにより、第２圧力調整用水槽２１０に貯留された水の注出を調整する。つまり、有水式ガスホルダ２０にガスが供給される場合、第２傾動手段は、中槽１５は動かず内槽１６が上昇している間、第２圧力調整用水槽２１０の注出口１１１が水平な状態である水平姿勢Ｈに第２圧力調整用水槽２１０を維持することで内部に水を貯留した状態を維持させる。そして、第２傾動手段は、中槽１５の上昇に応じて、つまり、中槽１５が上昇を開始する際に、第２圧力調整用水槽２１０を水平姿勢Ｈから傾斜姿勢Ｔに傾動させ、内部に貯留された水を注出させる。そして、有水式ガスホルダ２０からガスを排出する場合、第２傾動手段は、中槽１５及び内槽１６の両方が下降している間、第２圧力調整用水槽２１０を傾斜した状態である傾斜姿勢Ｔに維持し、内部に水が貯留されるのを防ぎ、中槽１５が着水して下降しきり水槽１２に着底する際、つまり、中槽１５は停止し内槽１６が下降する際に、第２圧力調整用水槽２１０を傾斜姿勢Ｔから水平姿勢Ｈに傾動させて、注出口１１１を水平に保ち、内部に水を貯留させる。
【００９１】
換言すれば、中槽１５が上昇を開始する際とは、内槽１６が中槽１５に対する相対的な上昇を完了し、中槽１５が上昇を開始するときを意味する。従って、内槽１６の中槽１５に対する相対的な上昇が完了したときに、第２傾動手段は、第２圧力調整用水槽２１０を傾斜姿勢Ｔに傾動させる。更に換言すれば、第２傾動手段は、中槽１５が完全に降下しきった状態以外の場合に、第２圧力調整用水槽２１０を傾斜姿勢Ｔに傾動させる。この第２傾動手段の一例として、図１には、第２ワイヤ２２０を示す。
【００９２】
第２ワイヤ２２０は、第２傾動手段の一例であって、一定の長さで形成され、その両端を第２圧力調整用水槽２１０のワイヤフック１１７と、中槽１５の内周下端部１５１とに連結される。この第２ワイヤ２２０の長さは、内槽１６のカップと中槽１５のデップとが係合した際に、緊張され、第２圧力調整用水槽２１０を傾斜姿勢Ｔに傾動させるように調整される。
【００９３】
即ち、第２ワイヤ２２０は、内槽１６と中槽１５とが係合した際、つまり、中槽１５が上昇を開始する際に、緊張され、第２圧力調整用水槽２１０を傾動させる。換言すれば、第２ワイヤ２２０は、中槽１５に対する内槽１６の相対高さに応じて緊張されて、第２圧力調整用水槽２１０を傾斜姿勢Ｔに傾動させる。つまり、第２ワイヤ２２０は、この相対高さが内槽１６の昇降と中槽１５の昇降とに応じて最大となった際に、緊張し、第２圧力調整用水槽２１０を傾斜姿勢Ｔに傾動させ、この相対高さが最大の高さでない場合には、弛緩し、第２圧力調整用水槽２１０を傾斜姿勢Ｔから水平姿勢Ｈに傾動させる。その結果、第２圧力調整用水槽２１０の注出口１１１を水平に維持されせる。
【００９４】
また、本実施形態において、給水装置１３０は、第１圧力調整用水槽１１０と共に、第２圧力調整用水槽２１０にも給水する。以上、圧力調整装置２００の構成のうち、第１の実施形態に係る圧力調整装置１００の構成と相違する点について説明した。
【００９５】
（動作）
以下では、図８、１０〜図１２を参照して、有水式ガスホルダ２０と、圧力調整装置２００の動作について説明する。図１０は、本実施形態に係る圧力調整装置２００の動作を示す概略断面図であり、内槽１６が上昇している最中を示す。図１１は、本実施形態に係る圧力調整装置２００の動作を示す概略断面図であり、内槽１６と中槽１５とが係合し、内槽１６及び中槽１５が上昇している状態を示す。図１２は、本実施形態に係る圧力調整装置２００の動作を示す概略断面図であり、内槽１６と中槽１５とが係合し、かつ、中槽１５と外槽１４とが係合して、内槽１６、中槽１５及び外槽１４が上昇している状態を示す。
【００９６】
（ガス供給過程）
まず、有水式ガスホルダ１０にガスを供給し、内部にガスを貯留する場合について説明する。図１０に示すように、有水式ガスホルダ１０に、ガス配管１９を介してガスを供給すると、まず、内槽１６が上昇する。
【００９７】
この際、第１ワイヤ１２０及び第２ワイヤ２２０は、第１圧力調整用水槽１１０及び第２圧力調整用水槽２１０を傾動させておらず、第１圧力調整用水槽１１０及び第２圧力調整用水槽２１０は、水平姿勢Ｈを維持している。従って、第１圧力調整用水槽１１０には、外槽１４の質量に対応した水が貯留され、第２圧力調整用水槽２１０には、中槽１５の質量に対応した水が貯留されている。
【００９８】
例えば、１つの第１圧力調整用水槽１１０及び第２圧力調整用水槽２１０が備えられる場合、その内部に貯留される水の質量は、それぞれ外槽１４又は中槽１５の質量に略等しく、複数の第１圧力調整用水槽１１０及び第２圧力調整用水槽２１０が備えられる場合、その内部に貯留される水の総質量が、それぞれ外槽１４又は中槽１５の質量に略等しくなってもよい。
【００９９】
この場合、内部のガスの圧力は、内槽１６の質量と、複数の第１圧力調整用水槽１１０及び第２圧力調整用水槽２１０の質量と、第１圧力調整用水槽１１０及び第２圧力調整用水槽２１０の内部に貯留された水の質量との総和に対応した圧力となる。
【０１００】
この際、このガスの圧力は、サポート部材１６１と、水槽支持部材１６２と、水分配管１３５及び給水配管１３６と等の質量にも依存するが、これらの質量によりガスに加えられる圧力は、以下の動作にわたり一定であるため、ここでは省略する。また、内槽１６、中槽１５及び外槽１４の質量は、それぞれ内槽１６、中槽１５及び外槽１４が入水している場合に受ける浮力分減少するが、この浮力は、内槽１６、中槽１５及び外槽１４の質量によりガスに加えられる圧力に比べれば小さいため、ここでは省略する。
【０１０１】
更に有水式ガスホルダ１０にガスを供給すると、内槽１６は更に上昇する。そして、図１１に示すように、内槽１６の外周下方に形成されたカップと、中槽１５の内周上方に形成されたデップとが係合し、水圧シールを形成する。この水圧シールについての説明は第１実施形態で説明したため、省略する。また、このデップとカップが係合することにより、内槽１６は、中槽１５を上方に牽引し、中槽１５は、上昇を開始する。
【０１０２】
この中槽１５が上昇を開始する際、つまり、内槽１６と中槽１５との相対高さが最大となったとき、第２ワイヤ２２０は、中槽１５の内周下端部１５１と第２圧力調整用水槽２１０のワイヤフック１１７との間で緊張され、第２圧力調整用水槽２１０を水平姿勢Ｈから傾斜姿勢Ｔに傾動させる。傾斜姿勢Ｔに傾動された第２圧力調整用水槽２１０は、内部に貯留していた水を傾斜底面１１３及び注出口１１１を介して注出する。注ぎ出された水は、水槽１２に供給される。
【０１０３】
従って、中槽１５が上昇するとき、つまり、第２圧力調整用水槽２１０が水を放出した後の有水式ガスホルダ２０のガスの圧力は、内槽１６の質量と、中槽１５の質量と、第１圧力調整用水槽１１０及び第２圧力調整用水槽２１０の質量と、第１圧力調整用水槽１１０の内部に貯留された水の総質量との総和に対応した圧力となる。
【０１０４】
この際、第２圧力調整用水槽２１０の内部に貯留されていた水の質量（又は総質量）と中槽１５の質量とを略等しく設定することにより、両者の質量によりガスが受ける圧力は相殺される。つまり、中槽１５が上昇する以前のガス圧を決定している内槽１６と第１圧力調整用水槽１１０及び第２圧力調整用水槽２１０と第１圧力調整用水槽１１０及び第２圧力調整用水槽２１０の内部に貯留された水との質量の総和と、中槽１５が上昇する際のガス圧を決定している内槽１６と中槽１５と第１圧力調整用水槽１１０及び第２圧力調整用水槽２１０と第１圧力調整用水槽１１０の内部に貯留された水との質量の総和とが、等しくなるため、中槽１５が上昇する前後にわたるガス圧の変動を防止することができる。
【０１０５】
更に、有水式ガスホルダ２０にガスを供給すると、図１２に示すように、更に内槽１６及び中槽１５は上昇し、中槽１５と外槽１４とは係合する。そして、外槽１４が上昇を開始し、第１ワイヤ１２０は、第１圧力調整用水槽１１０を傾斜姿勢Ｔに傾動させる。この動作は、上記の第１の実施形態において説明した動作と、中槽１５及び第２圧力調整用水槽２１０を備える点を除いて、同じであるため、ここでの詳しい説明は省略する。
【０１０６】
上記一連のガス供給過程において、給水装置１３０は、例えば、常に駆動し、水槽１２の水を第１圧力調整用水槽１１０及び第２圧力調整用水槽２１０に常に供給してもよいが、給水装置１３０は、これに限定されず、例えば、中槽１５が上昇を開始する以前に、第２圧力調整用水槽２１０が満水に水を貯留した段階で、一端停止されてもよく、その後のガス供給過程においては、駆動されなくてもよい。
【０１０７】
（ガス排出過程）
次に、有水式ガスホルダ２０に貯留したガスを排出し、ガスの使用箇所に供給する場合について説明する。有水式ガスホルダ２０からガスを排出する場合、圧力調整装置２００は、上記ガス供給過程と逆の動作を行う。但し、以下では、ガスを排出する際には、給水装置１３０は、例えば、常に駆動して、水槽１２の水を第１圧力調整用水槽１１０及び第２圧力調整用水槽２１０に常に供給するとするが、水平姿勢Ｈにある第１圧力調整用水槽１１０及び第２圧力調整用水槽２１０に給水し、それぞれ外槽１４又は中槽１５の質量に対応した水を給水する間以外の間は、適宜停止されてもよい。
【０１０８】
尚、有水式ガスホルダ２０からガス配管１９を介してガスを排出すると、図１２に示すように、内槽１６、中槽１５及び外槽１４が降下するが、外槽１４が着底して内槽１６と中槽１５とが更に降下しだすまでの動作は、中槽１５及び第２圧力調整用水槽２１０を備える点を除いて、第１の実施形態における外槽１４の動作と同様であるため、ここでの説明は省略する。
【０１０９】
更に、有水式ガスホルダ２０からガスを排出すると、図１１に示すように、外槽１４は着底し、内槽１６と中槽１５との相対位置関係は変わらずに、中槽１５のカップと外槽１４のデップとの係合が解かれ、内槽１６と中槽１５とが更に降下する。この際、有水式ガスホルダ１０の内部のガスの圧力は、内槽１６の質量と、中槽１５の質量と、第１圧力調整用水槽１１０及び第２圧力調整用水槽２１０の質量と、第１圧力調整用水槽１１０に貯留された水の質量との総和に対応した圧力となる。
【０１１０】
更に有水式ガスホルダ１０からガスを排出すると、図１０に示すように、中槽１５が完全に降下しきり、中槽１５が水槽１２に着底し、内槽１６のカップと中槽１５のデップとの係合が解かれる。この際、中槽１５が完全に降下しきり着底すると、内槽１６が更に降下するため、内槽１６と中槽１５との相対高さは減少して第２ワイヤ２２０の緊張が解かれる。その結果、第２ワイヤ２２０による第２圧力調整用水槽２１０の傾斜姿勢Ｔへの傾動も解かれる。従って、第２圧力調整用水槽２１０は、傾斜姿勢Ｔから注出口１１１が水平になる水平姿勢Ｈに傾動し、給水装置１３０から水を供給され、当該水を内部の貯留する。その結果、第２圧力調整用水槽２１０には、中槽１５の質量に対応した質量の水が貯留される。
【０１１１】
従って、中槽１５が完全に降下して着底し、内槽１６のみが降下している際、有水式ガスホルダ１０の内部のガスの圧力は、内槽１６の質量と、第１圧力調整用水槽１１０及び第２圧力調整用水槽２１０の質量と、第１圧力調整用水槽１１０及び第２圧力調整用水槽２１０の内部に貯留された水の質量との総和に対応した圧力となる。
【０１１２】
よって、中槽１５の質量と第２圧力調整用水槽２１０の内部に貯留される水の質量とを略等しく設定することにより、両者の質量によりガスが受ける圧力は相殺される。つまり、中槽１５が完全に降下する以前のガス圧を決定している内槽１６と中槽１５と第１圧力調整用水槽１１０及び第２圧力調整用水槽２１０と第１圧力調整用水槽１１０に貯留された水との質量の総和が、中槽１５が完全に降下した以降のガス圧を決定している内槽１６と第１圧力調整用水槽１１０及び第２圧力調整用水槽２１０と第１圧力調整用水槽１１０及び第２圧力調整用水槽２１０の内部に貯留された水との質量の総和と、等しくなるため、外槽１４が完全に降下する前後におけるガス圧の変動を防止することができる。
【０１１３】
図８に示すように、更にガスを排出すると、内槽１６は、更に下降して完全に降下する。この状態は、内槽１６と中槽１５と外槽１４とが完全に降下しきり着底した状態であり、有水式ガスホルダ２０からガスを排出しきった状態を示す。尚、本実施形態においては、内槽１６が完全に降下しても、内槽１６の上部の空間にはガスが少量貯蔵されているが、かかる例に限定されないことはいうまでも無い。
【０１１４】
（効果）
以上、有水式ガスホルダ２０の圧力調整装置２００の構成及び動作を、図８、図１０〜図１２を参照して説明した。本実施形態に係る有水式ガスホルダ２０の圧力調整装置２００によれば、第１の実施形態に係る圧力調整装置１００が奏することができる効果に加えて、更に多くのガスをガス圧の変動を最小限に抑えて貯蔵することができる。
【０１１５】
（第２の実施形態に係る圧力調整装置２００によるガス圧調整例）
次に、図１３を参照して、上記の構成を有する圧力調整装置２００によって、内部のガスの圧力を調整した場合のガス圧調整例を説明する。図１３は、本実施形態に係る圧力調整装置におけるガス圧の変動を測定した測定例を示すグラフである。
【０１１６】
図１３において、横軸は、有水式ガスホルダ２０内部にガスを供給している時間を示し、時点０からガスの供給を開始して内槽１６が上昇を開始し、時点ｔ１において、中槽１５が上昇を開始する。そして、時点ｔ２において、更に外槽１４が上昇を開始し、時点ｔ３において、全ての槽が上昇して有水式ガスホルダ２０の内部にガスが満量貯蔵される。
【０１１７】
また、縦軸は、その際の有水式ガスホルダ２０の内部のガス圧を示す。この際、線Ｃは、従来の圧力調整装置等を備えない有水式ガスホルダ（「従来１」とする。）のガス圧の変化を示し、線Ｂは、特許文献１に記載の圧力調整装置を備えた有水式ガスホルダ（「従来２」とする。）のガス圧の変化を示し、線Ａは、本発明の第２の実施形態に係る圧力調整装置２００を備えた場合のガス圧の変化を示す。
【０１１８】
この場合、下記の（表１）に示すように有水式ガスホルダ２０の各主要部の寸法及び質量を設定した。尚、内槽１６の質量は、第１圧力調整用水槽１１０及び第２圧力調整用水槽２１０の質量を含んでいる。
【０１１９】
【表１】
2008267416.tif 000003
【０１２０】
この有水式ガスホルダ２０のガスを貯蔵する有効容量は、約６１，０００ｍ３となり、この有水式ガスホルダ２０に、５，９８３Ｎｍ３／ｍｉｎの流出入速度でガスを供給した。結果、内槽１６は、平均上昇速度３ｍ／ｍｉｎ（２．９２〜３．１４ｍ／ｍｉｎ）の速度で上昇した。
【０１２１】
更に、第１圧力調整用水槽１１０及び第２圧力調整用水槽２１０の各寸法をｄ＝３ｍ、ｗ１＝２．５ｍ、ｗ２＝４．５ｍ、ｈ＝１ｍとし、貯留する水の容積を１０．５ｍ３とした（図３参照）。この第１圧力調整用水槽１１０及び第２圧力調整用水槽２１０をそれぞれ１０個ずつ、図９に示すように配置した。
【０１２２】
ガスを供給すると、図１３の線Ｃに示すように、従来１によれば、時点ｔ１と時点ｔ２とにおいて、急激にガス圧が上昇し、それぞれ圧力Ｃ１（約３５６８ＰａＧ）と圧力Ｃ２（約４０００ＰａＧ）になった。これは、時点ｔ１では中槽１５が上昇を開始し、時点ｔ２では外槽１４が上昇を開始したため、それぞれ上昇を開始したガス槽の質量がガス圧に影響を与えたためである。
【０１２３】
また、図１３の線Ｂに示すように、従来２によれば、ガス圧を時点０から時点ｔ３まで４２８５ＰａＧ近傍に保つことができるが、このガス圧は、時点ｔ１と時点ｔ２とにおいて、一時的に圧力Ｂ１と圧力Ｂ２とに急上昇した。この圧力の急上昇は、従来２によれば調整用水槽内の水を給排水弁及び配管を介して排出するため、水の排出に時間がかかり適正にガス圧を調整できていないことによっておこる。これに対して給排水弁及び配管の径等を大きくしたとしても物理的、構造的に限界があるため、この様な圧力の急上昇を適正に抑えることは困難である。
【０１２４】
これらに対して、図１３の線Ａに示すように、圧力調整装置２００によれば、ガス圧を時点０から時点ｔ３まで約４２８５ＰａＧ近傍に維持することができる。また、時点ｔ１と時点ｔ２とにおける圧力の急激な上昇もＡ１及びＡ２に抑えることができる。従って、圧力調整装置２００によれば、適切に有水式ガスホルダ２０の内部のガス圧を常に略一定に維持することができる。
【０１２５】
尚、ここでは、中槽１５又は外槽１４が上昇を開始する際に、それぞれに対応した第１圧力調整用水槽１１０又は第２圧力調整用水槽２１０を傾斜姿勢Ｔに傾動させた。この第１圧力調整用水槽１１０又は第２圧力調整用水槽２１０を傾斜姿勢Ｔに傾動させるタイミングを調節することにより、ガス圧の時点ｔ１、ｔ２における圧力Ａ１、Ａ２への上昇を更に抑えることも可能である。
【０１２６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１２７】
例えば、上記実施形態では、第１、第２圧力調整用水槽の形状を図２等に示す形状としたが、本発明はかかる例に限定されない。第１、第２圧力調整用水槽は、水平姿勢において対応したガス槽の質量に対応した水を貯留でき、傾斜姿勢において貯留した水を注水できる形状であれば、いかなる形状であってもよい。例えば、第１、第２圧力調整用水槽は、半球形に形成されてもよい。
【０１２８】
また、上記実施形態では、第１、第２傾動手段は、第１、第２ワイヤであるとしたが、本発明はかかる例に限定されない。例えば、第１、第２傾動手段は、ワイヤ以外の紐状の部材によって構成されてもよい。又、第１、第２傾動手段は、バネ、ゴム等の弾性体と、ワイヤ等の紐状の部材等との組合せによって構成されてもよい。更に、第１、第２傾動手段は、例えば、チェーンであってもよい。
【０１２９】
更に、上記第２実施形態では、有水式ガスホルダは１つの中槽を備え、圧力調整装置は、この中槽に対応した第２圧力調整用水槽及び第２傾動手段等を備えるとしたが、本発明はかかる例に限定されない。例えば、有水式ガスホルダは更に複数の中槽を備えてもよく、この場合、圧力調整装置には、この複数の中槽のそれぞれに対応した圧力調整用水槽及び傾動手段等が備えられてもよい。これらの追加される構成は、上記実施形態と同様であるため、ここでの説明は省略する。
【図面の簡単な説明】
【０１３０】
【図１】本発明の第１の実施形態に係る有水式ガスホルダの圧力調整装置の構成を示す概略断面図である。
【図２】第１圧力調整用水槽の構成及び動作を示す図面である。
【図３】第１圧力調整用水槽の構成を示す概略斜視図である。
【図４】同実施形態に係る圧力調整装置の動作を示す概略断面図である。
【図５】同実施形態に係る圧力調整装置の動作を示す概略断面図である。
【図６】図５の部分Ｐを拡大した内槽と外槽との係合を示す概略断面斜視図である。
【図７】同実施形態に係る圧力調整装置の動作を示す概略断面図である。
【図８】本発明の第２の実施形態に係る有水式ガスホルダの圧力調整装置の構成を示す概略断面図である。
【図９】第１、第２圧力調整用水槽の配置位置を概略的に示す、内槽の概略底面図である。
【図１０】同実施形態に係る圧力調整装置の動作を示す概略断面図である。
【図１１】同実施形態に係る圧力調整装置の動作を示す概略断面図である。
【図１２】同実施形態に係る圧力調整装置の動作を示す概略断面図である。
【図１３】同実施形態に係る圧力調整装置におけるガス圧の変動を測定した測定例を示すグラフである。
【符号の説明】
【０１３１】
１０、２０        有水式ガスホルダ
１１              底部
１２              水槽
１４              外槽
１５              中槽
１６              内槽
１８              基柱
１９              ガス配管
１００、２００    圧力調整装置
１１０            第１圧力調整用水槽
１１１            注出口
１１２            底面
１１３            傾斜底面
１１４、１１５    側面
１１６Ａ、１１６Ｂ    ストッパ
１１７            ワイヤフック
１２０            第１ワイヤ
１３０            給水装置
１３１            吸水配管
１３２            給水ポンプ
１３２Ａ、１３２Ｂ    バルブ
１３３            給水配管
１３４            ホース
１３４Ａ、１３４Ｂ    連結部
１３５            水分配管
１３６            給水配管
１４１、１５１    内周下端部
１６１            サポート部材
１６２            水槽支持部材
１６３            水槽傾動軸
１６４            係止部材
２１０            第２圧力調整用水槽
２２０            第２ワイヤ
３１０            カップ
３２０            デップ
３００            水圧シール
Ｈ                水平姿勢
Ｔ                傾斜姿勢
【図１】
2008267416.tif 000004
【図２】
2008267416.tif 000005
【図３】
2008267416.tif 000006
【図４】
2008267416.tif 000007
【図５】
2008267416.tif 000008
【図６】
2008267416.tif 000009
【図７】
2008267416.tif 000010
【図８】
2008267416.tif 000011
【図９】
2008267416.tif 000012
【図１０】
2008267416.tif 000013
【図１１】
2008267416.tif 000014
【図１２】
2008267416.tif 000015
【図１３】
2008267416.tif 000016